(57)【特許請求の範囲】
【請求項１】
少なくとも側部と凹部が形成された底部とを有する有底容器を、連接部を介して互いに連接された一対の挟持体によって挟持して、着脱可能に収納する収納部材であって、
各前記挟持体には、前記有底容器が配置される開口部がそれぞれ形成されており、
各前記開口部には、
前記有底容器の底部に形成された凹部に係止される係止片と、
中央付近の幅が最も狭くなり、且つ有底容器の横幅よりも狭くなるように内側に円弧状に突出して形成され前記有底容器の前後に配置されてその側部を支持する一対の支持片と、
が形成され、
前記一対の挟持体のうち一の挟持体の前記連接部に対向する位置に挿入片が設けられ、
他の挟持体には前記連接部に対向する位置に、第二の連接部を介して折り返し片が設けられ、
前記第二の連接部には前記挿入片が挿入される挿入穴が設けられ、
何れか一の前記挟持体に形成される一対の支持片には、前記有底容器が収納された際に、前記有底容器の側面部に当接するように折り込まれる固定片が設けられ、
前記固定片は、前記支持片の一部に切り込みにより形成されていることを特徴とする収納部材。
【発明の詳細な説明】
【技術分野】
【０００１】
本発明は、容器を収納する収納部材等の技術分野に関する。
【背景技術】
【０００２】
従来から、製品に対する宣伝、広告、又はその後の販売促進等を達成するための一手段として、当該製品又はそのサンプル（試供品）の展示や無償（又は有償）による配布が行われている。
【０００３】
そして、このように展示され又は配布される製品は、消費者の注意を喚起し、興味を持たせるために、当該製品の特性やキャッチコピー等が表示された特殊な形状を有する容器に収納される。
【０００４】
特許文献１では、収納される物品が外部から視認可能であって、当該物品の情報が示される展示板が前倒れすることがないスリーブ状の外包型展示兼用包装容器についての技術が開示されている。
【０００５】
また、特許文献２では、商品の販売促進情報を表示した販売促進情報表示部材に商品の見本を取り付けて設置する技術が開示されている。
【先行技術文献】
【特許文献】
【０００６】
【特許文献１】特開２００８−２７３５３５号公報
【特許文献２】実用新案登録第３０７５７１５号公報
【発明の概要】
【発明が解決しようとする課題】
【０００７】
しかしながら、特許文献１に開示されるスリーブ状の外包型展示兼用包装容器は、所定の型の板材を複数回折りたたんで組み立てられるため、当該板材を作成するために複雑な装置（金型等）を要し、また、当該容器が組み立てられるまでに多くの作業時間が必要とされるなど多大なコストの増加を招来するものであった。
【０００８】
また、特許文献２に開示される販売促進情報表示部材は、硬質樹脂により構成されるため、当該部材を製造するために専用の金型や成型設備が必要となり、やはり多大なコストの増加を招来するものであった。
【０００９】
そこで、本発明は上記問題点に鑑みてなされたものであり、その目的の一例は、簡便な構成で需要者の注意を喚起する収納部材等を提供することである。
【課題を解決するための手段】
【００１０】
上記課題を解決するために、請求項１に記載の発明は、少なくとも側部と凹部が形成された底部とを有する有底容器を、連接部を介して互いに連接された一対の挟持体によって挟持して、着脱可能に収納する収納部材であって、各前記挟持体には、前記有底容器が配置される開口部がそれぞれ形成されており、各前記開口部には、前記有底容器の底部に形成された凹部に係止される係止片と、中央付近の幅が最も狭くなり、且つ有底容器の横幅よりも狭くなるように内側に円弧状に突出して形成され前記有底容器の前後に配置されてその側部を支持する一対の支持片と、が形成され、前記一対の挟持体のうち一の挟持体の前記連接部に対向する位置に挿入片が設けられ、他の挟持体には前記連接部に対向する位置に、第二の連接部を介して折り返し片が設けられ、前記第二の連接部には前記挿入片が挿入される挿入穴が設けられ、何れか一の前記挟持体に形成される一対の支持片には、前記有底容器が収納された際に、前記有底容器の側面部に当接するように折り込まれる固定片が設けられ、前記固定片は、前記支持片の一部に切り込みにより形成されていることを特徴とする。
【００１１】
従って、この収納部材によれば、簡便な構成で需要者の注意を喚起する収納部材を提供することができる。
また、この収納部材によれば、有底容器を強固に（すなわち、ガタつきやゆるみの発生を抑制しつつ）固定し、収納することができる。また、有底容器が収納された際に、前記有底容器の側面部に示された当該有底容器の属性情報を、消費者に提示することができる。
【発明の効果】
【００１７】
以上のように、本発明における収納部材によれば、有底容器を一対の挟持体によって挟持して、着脱可能に収納するように構成したため、簡便な構成で需要者の注意を喚起することができる。
【図面の簡単な説明】
【００１８】
【図１】第１実施形態にかかる有底容器が収納部材に収納される様子を示す概念図である。
【図２】第１実施形態にかかる有底容器が収納部材に収納される様子を示す概念図である。
【図３】第１実施形態にかかる有底容器が収納部材に収納される様子を示す概念図である。
【図４】第１実施形態にかかる収納部材Ｓ１の展開時の形状を示す展開図である。
【図５】有底容器１００が収納部材Ｓ１に収納された状態を横方向（Ｘ方向）から見た概念図である。
【図６】有底容器１００が収納部材Ｓ１に収納された状態のＡ−Ａ線（図３）における断面図である。
【図７】第２実施形態にかかる有底容器が収納部材に収納される様子を示す概念図である。
【図８】第２実施形態にかかる有底容器が収納部材に収納される様子を示す概念図である。
【図９】第２実施形態にかかる収納部材Ｓ２の展開時の形状を示す展開図である。
【図１０】第３実施形態にかかる有底容器が収納部材に収納される様子を示す概念図である。
【図１１】第３実施形態にかかる有底容器が収納部材に収納される様子を示す概念図である。
【図１２】第３実施形態にかかる収納部材Ｓ３の展開時の形状を示す展開図である。
【図１３】第４実施形態にかかる有底容器が収納部材に収納される様子を示す概念図である。
【図１４】第４実施形態にかかる収納部材の展開時の形状を示す展開図である。
【図１５】第５実施形態にかかる有底容器が収納部材に収納される様子を示す概念図である。
【図１６】第５実施形態にかかる収納部材の展開時の形状を示す展開図である。
【図１７】第６実施形態にかかる有底容器が収納部材に収納される様子を示す概念図である。
【図１８】第６実施形態にかかる収納部材の展開時の形状を示す展開図である。
【発明を実施するための形態】
【００１９】
以下に、本願の最良の実施形態を添付図面に基づいて説明する。
【００２０】
［１．第１実施形態］
まず、図１〜図３を用いて、第１実施形態にかかる収納部材の使用状態について説明する。図１〜図３は、第１実施形態にかかる有底容器が収納部材に収納される様子を示す概念図である。なお、各部材の詳細については後述する。また、以下のすべての図面において、同一の部材名又は部材番号が示された部材は、少なくとも同一の構成及び同一の機能を有するものとする。
【００２１】
図１〜図３に示すように、収納部材Ｓ１は、少なくとも側部１０１と凹部が形成された底部１０２を有する有底容器１００を、連接部３を介して互いに連接された一対の挟持体１及び２によって挟持して着脱可能に収納する。
【００２２】
具体的には、有底容器１００は、底部１０２に図１の矢印方向に従って係止片５が挿入されると、開口部４に配置される（図２参照）。より詳しくは、有底容器１００は、底部１０２が係止片５によって係止され、側部１０１が一対の支持片６及び７によって支持されることにより、開口部４に配置される。
【００２３】
そして、有底容器１００は、底部１０２に図２の矢印方向に従って係止片１０が挿入されると、開口部９に配置される（図３参照）。より詳しくは、有底容器１００は、底部１０２が係止片１０によって係止され、側部１０１が一対の支持片１１及び１２によって支持されることにより、開口部９に配置される。
【００２４】
このようにして、有底容器１００は、一対の挟持体１及び２によって挟持して着脱可能に収納されるようになっている（図３参照）。
【００２５】
なお、有底容器１００は、化粧料、洗剤、歯磨き等の液状、ジェル状、クリーム状の内容物を収納するために、例えば図１に示すように側部１０１及び底部１０２を有し、本実施形態においては、キャップ１０３により封止されている。
【００２６】
本実施形態では、有底容器１００として化粧料を収納した化粧品を適用したが、有底容器１００は、側部１０１と凹部が形成されていればよく、他の内容物を収納する商品、例えば、文房具（例えば、糊等）、家電製品（例えば、充電池等）等を適用することができる。
【００２７】
また、本実施形態では、断面略筒状に形成された有底容器１００が適用されているが、これに限定されず、断面略楕円形状、又は断面略角状等に形成された有底容器を適用することもできる。
【００２８】
また、本実施形態では、底部１０２に形成される凹部は、有底容器１００の内部に向けて略すり鉢状に形成されているが、これに限定されず、有底容器１００の内部に向けて、底部１０２の外観面（側部１０１と接続する部分）に対して何らかの凹形状が形成されていればよい。他の例として、底部１０２に、上記凹形状として有底容器１００の内部に向けて段差形状が形成される容器を適用してもよい。
【００２９】
なお、以下の説明の便宜上、有底容器１００の縦幅（図１のＱ）を有底容器の高さと、有底容器の横幅（図１のＰ）を有底容器の横幅と称する。
【００３０】
次に、図４を用いて、第１実施形態にかかる収納部材の詳細について説明する。
【００３１】
図４は、第１実施形態にかかる収納部材Ｓ１の展開時の形状を示す展開図である。ここで、説明の便宜上、座標軸２００を定義する。座標軸２００において、紙面の鉛直方向をＹ軸、紙面の水平方向をＸ軸とする。
【００３２】
図４に示すように、収納部材Ｓ１は、紙、上質紙、ボール紙やＰＥＴ材等の薄型樹脂製板材等の折り曲げ自在の板状の部材（本願の板状の部材の一例）を素材とし、連接部３を介して一対の挟持体１及び２が互いに連接されている。
【００３３】
収納部材Ｓ１は、上述した板状の部材を、この収納部材Ｓ１と略同じ形の金型（例えば、所謂ビク型等）により打ち抜いて形成される。打ち抜かれる際に、図４における実線部分の切断が行われる。
【００３４】
なお、このような板状の部材を形成する金型は、合成樹脂により構成される製品を形成する金型のようにキャビティ型及びコア型から構成される所謂二枚構造ではなく、また、イジェクタピン等の機構を備える必要がないため、低価格で製作することができる。
【００３５】
さらに、このような板状の部材を形成する金型は、合成樹脂により構成される製品を形成する金型のようにキャビティ型及びコア型が可動する駆動機構を備える必要がないため、低価格で製作することができる。
【００３６】
連接部３は、一対の挟持体１及び２を、互いに近接する方向に折りたたむことを示す標識（目印）であり例えば、板状の部材から打ち抜かれて形成された一対の挟持体１及び２に対して、筋付け（筋押し、又は筋入れ）、印刷による線の表示、ミシン目、連続するパンチ穴の集合、又はハーフカット等の各処理を施すことにより形成される。
【００３７】
以下に示す実施形態において、他に示す連接部（例えば後述する連接部２４、又は第二の連接部２６等）は、特に示す場合を除き、図面中において点線で示し、上述した特性を有する連接部を適用する。
【００３８】
なお、連接部３は、一対の挟持体１及び２を互いに近接する方向に折りたたみ可能に連結したものでもよく、例えば、板状の部材からそれぞれ別個に打ち抜かれた一対の挟持体１及び２（すなわち、挟持体１及び２が分離している）を、テープ等で接合して連結するようにしてもよい。
【００３９】
また、一対の挟持体１及び２を構成する各挟持体１及び２は、それぞれ同一の形状の部材（開口部や各種の片）が形成されている。すなわち、挟持体１及び挟持体２は、連接部３を基準に対称形状を示している。以下、挟持体１について説明する部材は、特に示す場合を除き（例えば、後述する挿入片や挿入穴が設けられた場合は除く）、挟持体２にも施されているものとする。以下、挟持体１の部材を説明するにあたって、挟持体２にも施される部材をカッコ書きで示す。
【００４０】
開口部４（９）は、有底容器１００が配置される穴である。この開口部４の形状は、後述する係止片５（１０）、支持片６（１１）、支持片７（１２）、及び上方片８（１３）の形状によって定まる。
【００４１】
係止片５（１０）は、底部１０２の凹部に嵌入可能な片であり、当該凹部に係止される。この係止片５は、当該凹部に嵌入可能な大きさに形成されており、例えば、係止片５の突出量（図４のＹ１）は当該凹部の深さより小さく形成され、また、係止片５の横幅（図４のＸ１）は底部１０２の直径（有底容器１００の横幅Ｐ）より小さく形成されるようになっている。
【００４２】
なお、本実施形態にかかる係止片５は、円弧状に形成されているがこれに限られず、上記凹部に嵌入可能な凸形状であれば種々の形状を適用することができる。
【００４３】
一対の支持片６（１１）及び７（１２）は、側部１０１を支持する凸状の片であり、有底容器１００が、開口部４を介して脱落することを防止する機能を有する。
【００４４】
当該機能を有するため、一対の支持片６及び７は、開口部４のＹ軸方向に、互いに対向する位置に配置され、支持片６及び７が互いに近接する方向（Ｘ軸方向）に円弧状（凸状の一例）に形成されるようになっている。従って、支持片６及び７が最も近接した場合の距離（円弧状に形成された支持片６及び７の頂点同士の距離、即ち、図４のＸ２）は、有底容器１００の横幅よりも小さくなっている。
【００４５】
なお、本実施形態にかかる支持片６及び７は、円弧状に形成されているがこれに限られず、側部１０１を支持可能な凸形状であれば種々の形状を適用することができる。
【００４６】
また、有底容器１００の外観部には、有底容器１００の属性を示す属性情報、例えば、有底容器１００の内容物についての商品名（標章）、効能、使用方法等を示す宣伝広告文字、写真等を示す属性情報表示部１０４が表示される場合がある。
【００４７】
そこで、支持片６及び７が最も近接した場合の距離を、属性情報表示部１０４を視認可能な程度に設定するようにしてもよい。図３では、破線枠内に属性情報表示部１０４が示されている場合に、属性情報表示部１０４が視認可能な程度に上記Ｘ２（支持片６及び７が最も近接した場合の距離）が設定された様子が示されている。
【００４８】
このように構成することによって、有底容器１００が収納部材Ｓ１に収納された場合であっても、例えば消費者は属性情報表示部１０４に示された情報を視認することができるため更なる宣伝広告効果等が達成される。
【００４９】
係止片５（１０）に対向する位置には、一対の支持片６及び７の端部と接続される上方片８（１３）が形成される。
【００５０】
この上方片８の位置（図４のＹ２）は、有底容器の高さに応じて適宜変更することができる。上述したように、有底容器１００は、底部１０２が係止片５によって係止され、側部１０１が一対の支持片６及び７によって支持されることにより、開口部４に配置されるため、上方片８が有底容器１００に当接しなくても、有底容器１００は開口部４に配置されるからである。
【００５１】
本実施形態では、Ｙ２は有底容器１００の高さ（Ｑ）より小さく設定され、有底容器１００のキャップ１０３が上方片８によって支持されている。このように構成することによって、有底容器１００を確実に収納することができる。
【００５２】
開口部４（９）の端部（四隅）には、切欠き円１４ａ〜１４ｄ（１５ａ〜１５ｄ）が形成されている。この切欠き円１４ａ〜１４ｄは、開口部４の端部に集中応力が発生した場合に、挟持体１及び２に亀裂（破断）が発生することを防止する機能を有するとともに、収納部材Ｓ１が形成される金型の強度を増加させる機能を有する。
【００５３】
もし、開口部４の四隅に切欠き円１４ａ〜１４ｄが形成されず角形状であった場合には、開口部４の端部に集中応力が発生すると、当該応力が開口部４の端部に直接作用し、挟持体１及び２に亀裂が発生しやすくなるからである。
【００５４】
また、開口部４の端部に切欠き円１４ａ〜１４ｄが形成されず角形状であった場合には、収納部材Ｓ１が形成される金型も角形状に形成されることとなる。金型の角形状に形成された部分には、加工時に集中応力が発生すると、当該応力が金型の角形状部分に直接作用し、金型の破損を招来するからである。
【００５５】
上述したように、上記金型の一例としてのビク型は、板状の金属片を収納部材Ｓ１の形状と略同一形状に折り曲げて形成される。従って、開口部４の端部に切欠き円１４ａ〜１４ｄが形成されず角形状であった場合には、収納部材Ｓ１が形成される金型も角形状に折り曲げて形成されることとなる。
【００５６】
このようなビク型の折り曲げ部には、金型作成時に曲げによる荷重が過度に加えられる結果、何らかの疲労（例えば、ヒビ割れ等）が生じている場合がある。そして、当該金型を用いて製品を製造する際には、更に金型に荷重が加えられる結果、さらに金属疲労が蓄積され、当該金型の破損等を招来する。
【００５７】
そこで、開口部４の端部に切欠き円１４ａ〜１４ｄを形成することにより、収納部材Ｓ１を形成するための金型は上記角形状に形成される必要がないため、金型作成時に曲げによる荷重が過度に加えられることがなく、上記金属疲労による金型の破損を防止することができる。
【００５８】
次に、図５及び図６を用いて、有底容器１００が収納部材Ｓ１に収納された状態を説明する。図５は有底容器１００が収納部材Ｓ１に収納された状態を横方向（Ｘ方向）から見た概念図であり、図６は有底容器１００が収納部材Ｓ１に収納された状態のＡ−Ａ線（図３）における断面図である。なお、説明の便宜上、図６において、矢印Ａが示す方向を下方向、矢印Ｂが示す方向を外側方向と定義する。
【００５９】
図５及び図６に示すように、凹部が形成された底部１０２には係止片５が係止されているため、有底容器１００は、下方向へ脱落することなく、収納部材Ｓ１に収納されている。
【００６０】
また、上述したように、側部１０１は、一対の支持片６及び７によって支持されているため、有底容器１００は、外側方向へ開口部４を介して脱落することなく、収納部材Ｓ１に収納されている。
【００６１】
そして、有底容器１００を収納部材Ｓ１から取り外す場合には、一対の挟持体１又は２の何れか一の挟持体を外側方向へ、連接部３を回動中心として回動させる（つまり、一対の挟持体１及び２を開く）。ここでは、挟持体２を、外側方向へ連接部３を回動中心として回動させたものとする。すると、係止片１０は、底部１０２に形成された凹部から脱離する。すると、有底容器１００は、挟持体１（回動させた挟持体に連接する他の挟持体）の開口部４に配置された状態となる（例えば、図２に示す状態）。
【００６２】
この場合、有底容器１００を上記開口部から背離する方向へ持ち上げるだけで、容易に有底容器１００を収納部材Ｓ１から脱着することができる。
【００６３】
以上説明したように、本実施形態によれば、少なくとも側部１０１と凹状に形成された底部１０２を有する有底容器１００を、連接部３を介して連接された一対の挟持体１及び２によって挟持して、着脱可能に収納する収納部材Ｓ１であって、挟持体１及び２には、有底容器１００が配置される開口部４及び９がそれぞれ形成されており、開口部４及び９には、有底容器１００の底部１０２に形成された凹部に係止される係止片５及び１０と、有底容器１００の側部１０１を支持する一対の支持片６と７及び一対の支持片１１と１２であって、一対の支持片６と７及び一対の支持片１１と１２が互いに対向する位置に配置され、一対の支持片６と７及び一対の支持片１１と１２が互いに近接する方向に凸状に形成されるように構成したため、簡便な構成で需要者の注意を喚起する収納部材を提供することができる。
【００６４】
なお、以上説明した実施形態は特許請求の範囲にかかる発明を限定するものではない。そして、上記実施形態の中で説明されている構成の組み合わせ全てが発明の課題解決に必須の手段であるとは限らない。
【００６５】
具体的には、例えば、収納部材には異なる種類（大きさ）の複数の有底容器を収納するようにしてもよい。この場合には、有底容器の高さ、横幅、及び底部に形成される凹部の形状に応じて、上述した収納部材の係止片、支持片、支持片、及び上方片の形状を適宜変更する。
【００６６】
［２．第２実施形態］
次に、図７〜図９を用いて、第２実施形態にかかる収納部材について説明する。
【００６７】
第２実施形態にかかる収納部材が、第１実施形態にかかる収納部材Ｓ１と異なる点は、一の挟持体に挿入片を設け、折り返し片と他の挟持体とを連接する第二の連接部に挿入穴を設けたことである。
【００６８】
まず、図７及び図８を用いて、第２実施形態にかかる収納部材の使用状態について説明する。図７及び図８は、第２実施形態にかかる有底容器が収納部材に収納される様子を示す概念図である。
【００６９】
図７及び図８に示すように、収納部材Ｓ２の一対の挟持体２１及び２２において、挟持体２１（一対の挟持体のうち一の挟持体の一例）の連接部３に対向する辺に挿入片２３が設けられ、挟持体２２（他の挟持体の一例）の連接部３に対向する辺には、第二の連接部２６（第二の連接部の一例）を介して、折り返し片２７が設けられる。そして、第二の連接部２６には、挿入片２３が挿入される挿入穴２５が設けられている。
【００７０】
このような収納部材Ｓ２に有底容器１００を収納するには、まず、第１実施形態における収納部材Ｓ１と同様に、底部１０２に係止片５を挿入し、有底容器１００を開口部４に配置する。そして、底部１０２に図７の矢印方向に従って係止片１０を挿入し、有底容器１００を、開口部９に配置する（図７参照）。そして、挿入片２３を挿入穴２５に挿入することによって、一対の挟持体２１及び２２が相互に連結される。
【００７１】
このように、収納部材Ｓ２に有底容器１００が収納された状態で、一対の挟持体２１及び２２が相互に連結されると、有底容器１００は強固に（すなわち、ガタつきやゆるみの発生を抑制しつつ）固定されることとなる。
【００７２】
次に、図９を用いて、第２実施形態にかかる収納部材の詳細について説明する。
【００７３】
図９は、第２実施形態にかかる収納部材Ｓ２の展開時の形状を示す展開図である。
【００７４】
図９に示すように、収納部材Ｓ２は、収納部材Ｓ１と同様に、折り曲げ自在の板状の部材を素材とし、連接部３によって一対の挟持体２１及び２２が連接されている。
【００７５】
収納部材Ｓ２は、上述した板状の部材を、この収納部材Ｓ２と略同じ形の金型により打ち抜いて形成される。打ち抜かれる際に、図９における実線部分の切断が行われる。
【００７６】
挿入片２３は、挿入穴２５に挿入される片であり、連接部２４を介して挟持体２１と連接されている。また、連接部２４の両端部には切り込み部２３ａ及び２３ｂが形成される。
【００７７】
挿入穴２５は、挿入片２３が挿入されるスリット状の穴であり、挿入穴２５の実線部分で示す形状が打ち抜かれて形成される。そして、折り返し片２７を、第二の連接部２６を基準に折りたたむ（挟持体２２へ近接させる）と、上記スリット状の穴が形成されるようになっている（図７の挿入穴２５参照）。
【００７８】
また挿入穴２５は、コの字型の開口部側両端部に直線部２５ａ及び２５ｂを接続した形状に形成されている。そして、挿入片２３が挿入穴２５に挿入されると、挿入片２３の両端部（切り込み部２３ａ及び２３ｂによって分離された部分）と直線部２５ａ及び２５ｂが互いに嵌着するため、一対の挟持体２１及び２２は強固に固定される。
【００７９】
以上説明したように、本実施形態によれば、収納部材Ｓ２の一対の挟持体２１及び２２において、挟持体２１の連接部３に対向する辺に挿入片２３が設けられ、挟持体２２と折り返し片２７との連接部２６には、挿入片２３が挿入される挿入穴２５が設けられるように構成したため、有底容器１００を強固に（すなわち、ガタつきやゆるみの発生を抑制しつつ）固定し、収納することができる。
【００８０】
なお、以上説明した実施形態は特許請求の範囲にかかる発明を限定するものではない。そして、上記実施形態の中で説明されている構成の組み合わせ全てが発明の課題解決に必須の手段であるとは限らない。
【００８１】
具体的には、例えば、挿入片及び挿入穴の個数は任意に設定することができる。例えば、有底容器１００をさらに強固に固定し、収納する場合には、かかる挿入片及び挿入穴の設定数量を増加すればよい。
【００８２】
［３．第３実施形態］
次に、図１０〜図１２を用いて、第３実施形態にかかる収納部材について説明する。
【００８３】
第３実施形態にかかる収納部材が、上記実施形態にかかる収納部材と異なる点は、収納部材に形成される一対の支持片に固定片を形成したことである。
【００８４】
まず、図１０及び図１１を用いて、第３実施形態にかかる収納部材の使用状態について説明する。図１０及び図１１は、第３実施形態にかかる有底容器が収納部材に収納される様子を示す概念図である。
【００８５】
図１０及び図１１に示すように、収納部材Ｓ３の挟持体３１（何れか一の挟持体の一例）に形成される一対の支持片６及び７には、固定片３２及び３４が形成されている。この固定片３２及び３４は、有底容器１００が収納された際に、側面部１０１に当接するように（即ち、他方の挟持体に近接する方向）折り込まれる。
【００８６】
このような収納部材Ｓ３に有底容器１００を収納するには、まず、上述した各実施形態における収納部材Ｓ１及びＳ２と同様に、底部１０２に係止片５を挿入し、有底容器１００を開口部４に配置する。このとき、固定片３２及び３４は側面部１０１に当接しているため、有底容器１００は、矢印Ｃ方向に回転することなく、開口部４に配置される。
【００８７】
そして、底部１０２に図１１の矢印方向に従って係止片１０を挿入し、有底容器１００を、開口部９に配置する。
【００８８】
例えば、有底容器１００に属性情報表示部１０４が表示されている場合には、宣伝広告効果の観点から、有底容器１００が収納部材Ｓ３に収納されたときに、属性情報表示部１０４を外部から視認可能であることが望ましい場合もある。
【００８９】
本実施形態にかかる収納部材Ｓ３では、有底容器１００が矢印Ｃ方向に回転することなく収納部材Ｓ３に収納される。従って、有底容器１００を、図１１に示す位置に配置することによって、有底容器１００が収納部材Ｓ３に収納されたときに、開口部９から属性情報表示部１０４を視認することができる。
【００９０】
次に、図１２を用いて、第３実施形態にかかる収納部材の詳細について説明する。
【００９１】
図１２は、第３実施形態にかかる収納部材Ｓ３の展開時の形状を示す展開図である。
【００９２】
図１２に示すように、収納部材Ｓ３は、収納部材Ｓ１及びＳ２と同様に、折り曲げ自在の板状の部材を素材とし、連接部３によって一対の挟持体３１及び２が連接されている。
【００９３】
収納部材Ｓ３は、上述した板状の部材を、この収納部材Ｓ３と略同じ形の金型により打ち抜いて形成される。打ち抜かれる際に、図１２における実線部分の切断が行われる。
【００９４】
固定片３２及び３４は、上記金型の打ち抜きにより挟持体３１から分断されて形成される辺であり、連接部３３及び３５によって挟持体３１と連接されている。
【００９５】
以上説明したように、本実施形態によれば、収納部材Ｓ３の挟持体３１に形成される一対の支持片６及び７に、固定片３２及び３４が形成されるように構成したため、有底容器１００が収納部材Ｓ３に収納されたときに、例えば消費者は、開口部９から属性情報表示部１０４を視認することができる。
【００９６】
［４．第４実施形態］
次に、図１３及び図１４を用いて、第４実施形態にかかる収納部材について説明する。
【００９７】
第４実施形態にかかる収納部材が、第１実施形態にかかる収納部材Ｓ１と異なる点は、異なる種類の複数の有底容器１００及び有底容器３００を収納するようにしたことである。
【００９８】
ここで、図１３は第４実施形態にかかる有底容器が収納部材に収納される様子を示す概念図であり、図１４は第４実施形態にかかる収納部材の展開時の形状を示す展開図である。
【００９９】
図１３及び１４に示すように、収納部材Ｓ４の挟持体４１及び挟持体４２には、有底容器１００を収納するための係止片５等の他、有底容器３００を収納するために、開口部４３（４８）には、係止片４４（４９）、支持片４５（５１）、支持片４６（５０）、及び上方片４７（５２）が形成されている。
【０１００】
この係止片４４、支持片４５及び４６及び、上方片４７は、有底容器３００の側部３０１、底部３０２（有底容器３００の高さ、横幅）の形状及び大きさに応じて形成されている。
【０１０１】
このような収納部材Ｓ４に有底容器１００及び３００を収納する方法は、すでに第１実施形態等で述べた方法と同様である。
【０１０２】
［５．第５実施形態］
次に、図１５及び図１６を用いて、第５実施形態にかかる収納部材について説明する。
【０１０３】
第５実施形態にかかる収納部材が、第２実施形態にかかる収納部材Ｓ２と異なる点は、異なる種類の複数の有底容器１００及び有底容器３００を収納するようにしたことである。また、第５実施形態にかかる収納部材が、第４実施形態にかかる収納部材Ｓ４と異なる点は、挿入片及び挿入穴を設けたことである。
【０１０４】
ここで、図１５は第５実施形態にかかる有底容器が収納部材に収納される様子を示す概念図であり、図１６は第５実施形態にかかる収納部材の展開時の形状を示す展開図である。
【０１０５】
図１５及び１６に示すように、収納部材Ｓ５の挟持体６１には、挿入片６３及び６５が形成され、挟持体６２と折り返し片７０とを連接する第二の連接部６８（第二の連接部の一例）には挿入穴６７及び６９が形成されている。挿入片６３及び６５は、連接部６４及び６６を介して挟持体６１と連接されている。また、連接部６４の両端部には切り込み部６３ａ及び６３ｂが、連接部６６の両端部には切り込み部６７ａ及び６７ｂがそれぞれ形成される。
【０１０６】
また、挿入穴６７及び６９は、挿入片６３及び６５が挿入されるスリット状の穴であり、挿入穴６７及び６９の実線部分で示す形状が打ち抜かれて形成される。そして、折り返し片７０を、第二の連接部６８を基準に折りたたむ（挟持体６２へ近接させる）と、上記スリット状の穴が形成される。
【０１０７】
また挿入穴６７には、コの字型の開口部側両端部に直線部６７ａ及び６７ｂを接続した形状に形成され、挿入穴６９にも同様に、コの字型の開口部側両端部に直線部６９ａ及び６９ｂを接続した形状に形成されている。そして、挿入片６３が挿入穴６７に挿入されると、挿入片６３の両端部（切り込み部６３ａ及び６３ｂによって分離された部分）と直線部６７ａ及び６７ｂが互いに嵌着する。また、挿入片６５が挿入穴６９に挿入されると、挿入片６５の両端部（切り込み部６５ａ及び６５ｂによって分離された部分）と直線部６９ａ及び６９ｂが互いに嵌着するため、一対の挟持体６１及び６２は強固に固定される。
【０１０８】
このような収納部材Ｓ５に有底容器１００及び３００を収納する方法は、すでに第２実施形態等で述べた方法と同様である。
【０１０９】
［６．第６実施形態］
次に、図１７及び図１８を用いて、第６実施形態にかかる収納部材について説明する。
【０１１０】
第６実施形態にかかる収納部材が、第１実施形態にかかる収納部材Ｓ１と異なる点は、挟持体１にのみ開口部４に係止片５、支持片６、支持片７、及び上方片８を形成（即ち、挟持体７１には開口部及び（この開口部に形成される）係止片、一対の支持片、及び上方片を形成しない）したことである。
【０１１１】
ここで、図１７は第６実施形態にかかる有底容器が収納部材に収納される様子を示す概念図であり、図１８は第６実施形態にかかる収納部材の展開時の形状を示す展開図である。
【０１１２】
図１７及び１８に示すように、収納部材Ｓ６の挟持体１には、有底容器１００を収納するための係止片５、支持片６、支持片７及び、上方片８等が形成されているが、挟持体７１には、これら開口部及び係止片等は形成されていない。
【０１１３】
このような収納部材Ｓ６に有底容器１００を収納する方法は、底部１０２に係止片５を挿入し、有底容器１００を開口部４に配置する。そして、挟持体７１を、挟持体１へ近接する方向へ回動（即ち、挟持体７１を折りたたむ）させればよい。
【０１１４】
このとき、有底容器１００を強固に固定したい場合には、上記折りたたんだ際に当接する挟持体１と挟持体７１の端部を固定すればよい。また、当該端部を、上述した収納部材Ｓ２に設けられる挿入片及び挿入穴を設けるようにしてもよい。
【０１１５】
以上説明したように、本実施形態によれば、収納部材Ｓ６は、挟持体１にのみ係止片５、支持片６、及び支持片７が設けられるように構成したため、簡便な構成で収納容器を収納することができる。
【符号の説明】
【０１１６】
１    挟持体
２    挟持体
３    連接部
４    開口部
５    係止片
６    支持片
７    支持片
８    上方片
９    開口部
１０  係止片
１１  支持片
１２  支持片
１３  上方片
２３  挿入片
２５  挿入穴
１００  有底容器
３００  有底容器
Ｓ１  収納部材
Ｓ２  収納部材
Ｓ３  収納部材
Ｓ４  収納部材
Ｓ５  収納部材
Ｓ６  収納部材
【図１】
0005740957.tif 000002
【図２】
0005740957.tif 000003
【図３】
0005740957.tif 000004
【図４】
0005740957.tif 000005
【図５】
0005740957.tif 000006
【図６】
0005740957.tif 000007
【図７】
0005740957.tif 000008
【図８】
0005740957.tif 000009
【図９】
0005740957.tif 000010
【図１０】
0005740957.tif 000011
【図１１】
0005740957.tif 000012
【図１２】
0005740957.tif 000013
【図１３】
0005740957.tif 000014
【図１４】
0005740957.tif 000015
【図１５】
0005740957.tif 000016
【図１６】
0005740957.tif 000017
【図１７】
0005740957.tif 000018
【図１８】
0005740957.tif 000019